(57)【要約】【課題】  液晶表示装置の背面を放熱手段として用いているため、液晶表示装置を壁などに密着することができなかった。【解決手段】  液晶パネルと、液晶パネルの背面に設けられた導光板と、液晶パネル表示画面に対する導光板の左右側面の少なくとも一方の側面に導光板と平行に配置された基板と、基板に実装され導光板側面に対向する複数の光源と、前記基板の光源非搭載面に接続されたヒートシンクと、導光板の背面に設けられた背面カバーと、これらを支える支持部材からなる液晶表示装置において、導光板と背面カバーの間に空間を設け、前記空間にヒートシンクに接続する熱輸送部材を設け、前記空間に液晶パネル表示画面に対して上下方向に通気路を設ける。【選択図】図１
2008165101.tif 000002
【特許請求の範囲】
【請求項１】
液晶パネルと、
前記液晶パネルの背面に設けた導光板と、
前記導光板の両側面に対向して配置した一対の光源搭載基板と、
前記光源搭載基板の前記導光板側の面に実装した複数の光源と、
前記光源搭載基板の前記導光板とは反対側の面に設けたヒートシンクと、
前記導光板の背面に設けた背面カバーと、
前記導光板と前記背面カバーとの間に配置し、前記ヒートシンクに接続した熱輸送部材と、
を有し、
前記一対の光源搭載基板は前記液晶パネルの表示画面に対し左右方向に配置し、
前記導光板と前記背面カバーとの間に、前記液晶パネルの表示画面に対して上下方向に通気路を設けた
液晶表示装置。
【請求項２】
前記ヒートシンクと前記熱輸送部材とが一体で成形される
請求項１に記載の液晶表示装置。
【請求項３】
前記熱輸送部材は複数のフィンを有する棒状の熱輸送部材である
請求項１に記載の液晶表示装置。
【請求項４】
前記複数のフィンは、該フィンの板面が棒状の熱輸送部材の延伸方向に対して直角方向になるよう装着される
請求項３に記載の液晶表示装置。
【請求項５】
前記ヒートシンクが前記導光板と前記背面カバーとの間に延伸しており、該延伸したヒートシンクの先端に前記熱輸送部材が接続される
請求項１に記載の液晶表示装置。
【請求項６】
前記熱輸送部材と前記背面カバーとの間には、
前記ヒートシンクに接続した熱拡散板が配置する
請求項１に記載の液晶表示装置。
【請求項７】
前記導光板と前記熱輸送部材との間には、
前記ヒートシンクに接続した熱拡散板が配置する
請求項１に記載の液晶表示装置。
【請求項８】
前記熱輸送部材は複数のフィンを有し、
該フィンは前記熱拡散板に接触して配置する
請求項６に記載の液晶表示装置。
【請求項９】
前記熱輸送部材は複数のフィンを有し、
該フィンは前記熱拡散板に接触して配置する
請求項７に記載の液晶表示装置。
【請求項１０】
前記熱輸送部材は複数のフィンを有し、
該フィンは前記熱拡散板に接触しないように配置する
請求項６に記載の液晶表示装置。
【請求項１１】
前記熱輸送部材は複数のフィンを有し、
該フィンは前記熱拡散板に接触しないように配置する
請求項７に記載の液晶表示装置。
【請求項１２】
前記棒状の熱輸送部材は前記液晶パネルの表示画面に対し上下方向に複数本配列し、
前記液晶パネルの表示画面に対し下側に配置する棒状の熱輸送部材ほど、前記フィンの個数が少なく構成された
請求項３に記載の液晶表示装置。
【請求項１３】
前記棒状の熱輸送部材は、前記背面カバーよりも前記導光板に近い位置に配置した
請求項３に記載の液晶表示装置。
【請求項１４】
前記ヒートシンクの熱伝導度が２００Ｗ／ｍ・Ｋ以上である
請求項１に記載の液晶表示装置。
【請求項１５】
前記ヒートシンクは、
金，銀，銅，アルミ、又は金，銀，銅，アルミを主成分とする合金、もしくはカーボングラファイトにより形成される
請求項１に記載の液晶表示装置。
【請求項１６】
前記熱輸送部材の熱伝導度が２００Ｗ／ｍ・Ｋ以上である
請求項１に記載の液晶表示装置。
【請求項１７】
前記熱輸送部材がヒートパイプである
請求項１に記載の液晶表示装置。
【請求項１８】
前記熱輸送部材が金，銀，銅，アルミ、又は金，銀，銅，アルミを主成分とする合金の中穴棒により形成される
請求項１に記載の液晶表示装置。
【請求項１９】
前記フィンの熱伝導度が２００Ｗ／ｍ・Ｋ以上である
請求項３に記載の液晶表示装置。
【請求項２０】
前記フィンが金，銀，銅，アルミ、又は金，銀，銅，アルミを主成分とする合金、もしくはカーボングラファイトにより形成される
請求項３に記載の液晶表示装置。
【請求項２１】
前記背面カバーは、前記液晶パネルの表示画面に対する上下側面、および左右側面に通気口が形成される
請求項１に記載の液晶表示装置。
【請求項２２】
前記通気口はハニカム構造である
請求項２１に記載の液晶表示装置。
【請求項２３】
前記通気口は、該通気口を開口した側面を傾斜面として前記液晶パネルの前面側に傾斜して設けた
請求項２１に記載の液晶表示装置。
【請求項２４】
前記液晶パネルの前面に、液晶表示装置の表示エリアを開口したカバーを配置した
請求項１に記載の液晶表示装置。
【請求項２５】
前記液晶パネルの前面に、液晶表示装置の表示エリアを覆うカバーを配置した
請求項１に記載の液晶表示装置。
【請求項２６】
前記液晶表示装置の前面カバーが前記ヒートシンクに外接する仮想直方体領域に接するように取り付けられる
請求項２４に記載の液晶表示装置。
【請求項２７】
前記光源搭載基板、前記光源、及び前記ヒートシンクを前記液晶パネル表示画面に対する前記導光板の左右両方向に配置し、
前記ヒートシンクに外接する仮想直方体領域の内部に前記液晶パネルと前記導光板とを収容するように配置した
請求項１に記載の液晶表示装置。
【請求項２８】
前記光源搭載基板、前記光源、及び前記ヒートシンクを前記液晶パネル表示画面に対する前記導光板の左右両方向に配置し、
前記ヒートシンクに外接する仮想直方体領域の内部の中央位置に液晶表示装置を制御する電子回路基板を収容するように配置した
請求項１に記載の液晶表示装置。
【請求項２９】
前記背面カバーの背面に窪みを形成した
請求項１に記載の液晶表示装置。
【請求項３０】
前記背面カバーは熱拡散板を内包する
請求項１に記載の液晶表示装置。
【請求項３１】
前記光源搭載基板はセラミックス材質を用いる
請求項１に記載の液晶表示装置。
【請求項３２】
前記光源搭載基板上に前記光源を内包するレンズを形成した
請求項１に記載の液晶表示装置。
【請求項３３】
液晶パネルと、
前記液晶パネルの背面に設けた光源搭載基板と、
前記光源搭載基板にマトリクス状に実装された複数の光源と、
前記光源搭載基板の前記光源を実装していない側の面に接続されたヒートシンクと、
前記導光板の背面に設けた背面カバーと、
を有し、
前記ヒートシンクは前記光源搭載基板と前記背面カバーとの間に延伸しており、
前記光源搭載基板と前記背面カバーとの間に、前記液晶パネルの表示画面に対して上下方向に通気路を設けた
液晶表示装置。
【発明の詳細な説明】
【技術分野】
【０００１】
本発明は、液晶表示装置の新規構造を提案するものであり、特にサイドライト方式バックライトを用いた薄型液晶表示装置に関する。
【背景技術】
【０００２】
表示装置は、ＣＲＴ（Cathode Ray Tube）やプラズマディスプレイパネルなどの発光型の表示装置と、液晶表示装置などの非発光型の表示装置に大別できる。
【０００３】
非発光型の表示装置としては、画像信号に応じて光の反射光量を調節する反射型の光変調素子を用いるものと、画像信号に応じて光の透過光量を調整する透過型の光変調素子を用いるものがある。特に、透過型の光変調素子として液晶表示パネルを用い、その裏面に照明装置（バックライトとも呼ぶ）を備える液晶表示装置は薄型，軽量であることから、コンピュータのモニターやテレビ受像機（ＴＶ）などさまざまな表示装置として採用されている。
【０００４】
液晶パネルの表示原理としては、主流のＴＮ（ツイステッドネマチック）の他に、広視野角を特徴とするＩＰＳ（インプレーンスイッチング），ＭＶＡ（マルチドメインバーチカルアライメント）などが用いられるが、いずれも、表示部の背面に設置されたバックライトより光を照射し、液晶パネルはバックライトから照射された光の透過率を制御することにより画像を形成するものである。
【０００５】
近年、これらの液晶表示装置について高輝度化，色再現範囲の拡大の要求が高まっている。また薄型ＴＶの普及に伴い壁掛けを可能とするＴＶのニーズが高まっている。
【０００６】
液晶表示装置においては、色再現範囲拡大のため、ＬＥＤ（Light Emitting Diode）がバックライト光源として用いられるようになってきた。また薄型化を進めるため、バックライト光源を液晶パネル背面に位置するのではなく、サイドに配置するサイドライト方式が提案されている。
【０００７】
下記特許文献１では、ＬＥＤを光源として用い、かつサイドライトとして用いた構成が記載されている。
【０００８】
【特許文献１】特開２００６−１５６３２４号公報
【発明の開示】
【発明が解決しようとする課題】
【０００９】
しかしながら、従来の液晶表示装置においては、表示面の裏側に延伸されたヒートシンクからの放熱を液晶表示装置外に排気するために、背面カバー平面部に多数の通気口をあける必要があった。前述の特開２００６−１５６３２４号公報図４９には、背面カバーの平面部に多数の通気口が設けられており、背面カバーを放熱手段として使用していた。
【００１０】
このため液晶表示装置を壁などに密着すると、放熱不足による表示不良が生じる問題があった。また、液晶表示装置を壁などに密着すると、高温化された背面カバーからの放熱により壁などを損傷する恐れがあった。
【００１１】
また、液晶表示装置背面の排気口により液晶表示装置のデザイン性を損なうといった問題があった。
【００１２】
また、液晶表示装置背面に排気口を有するため、液晶表示装置の裏面を他の用途に使用できないといった問題があった。
【００１３】
上記課題は液晶表示装置に限らずプラズマディスプレイ，ＣＲＴディスプレイ等の従来の画像表示装置も同様に背面カバーの平面部に多数の通気口が設けられており、壁などに密着することで、表示不良，熱風などによる壁の損傷の恐れ、およびデザイン性を損なう、という問題があった。
【００１４】
本発明はこのような課題を解決するために成されたものであり、その目的は、最適な放熱構造を提供することにより、背面の安全性・自由度を向上した液晶表示装置を提供することにある。
【課題を解決するための手段】
【００１５】
本発明は、上記の課題を鑑みてなされたものであり、液晶表示装置の背面を放熱手段として用いることなくヒートシンクからの放熱を外部に排出することが可能な液晶表示装置を実現するとともに背面カバーの高温化を抑制することが可能な技術を提供する。
【００１６】
上記課題を解決するための、本発明の第１の液晶表示装置は、液晶パネルと、前記液晶パネルの背面に設けた導光板と、前記導光板の両側面に対向して配置した一対の光源搭載基板と、前記光源搭載基板の前記導光板側の面に実装した複数の光源と、前記光源搭載基板の前記導光板とは反対側の面に設けたヒートシンクと、前記導光板の背面に設けた背面カバーと、前記導光板と前記背面カバーとの間に配置し、前記ヒートシンクに接続した熱輸送部材と、を有し、前記一対の光源搭載基板は前記液晶パネルの表示画面に対し左右方向に配置し、前記導光板と前記背面カバーとの間に、前記液晶パネルの表示画面に対して上下方向に通気路を設けた構成をとる。
【００１７】
ここで、「通気路」とは、前記導光板と前記背面カバーとの間に配置した熱輸送部材に接するように、液晶表示パネルの最下端から最上端まで隙間を設けた構造を意味する。そして、液晶表示装置フレームの上下面に通気口を形成することにより、熱輸送部材の熱を、通気路を通じて液晶表示装置の上下方向（特に上方向）に逃がす構造としたものである。この「通気路」構造については、各実施例で詳述する。
【００１８】
また、上記本発明の第１の液晶表示装置で、前記ヒートシンクと前記熱輸送部材とが一体で成形される構成をとる。また、前記熱輸送部材は複数のフィンを有する棒状の熱輸送部材である構成をとる。また、前記複数のフィンは、該フィンの板面が棒状の熱輸送部材の延伸方向に対して直角方向になるよう装着される構成をとる。また、前記ヒートシンクが前記導光板と前記背面カバーとの間に延伸しており、該延伸したヒートシンクの先端に前記熱輸送部材が接続される構成をとる。また、前記熱輸送部材と前記背面カバーとの間には、前記ヒートシンクに接続した熱拡散板が配置する構成をとる。また、前記導光板と前記熱輸送部材との間には、前記ヒートシンクに接続した熱拡散板が配置する構成をとる。また、前記熱輸送部材は複数のフィンを有し、該フィンは前記熱拡散板に接触して配置する構成をとる。また、前記熱輸送部材は複数のフィンを有し、該フィンは前記熱拡散板に接触して配置する構成をとる。また、前記熱輸送部材は複数のフィンを有し、該フィンは前記熱拡散板に接触しないように配置する構成をとる。また、前記熱輸送部材は複数のフィンを有し、該フィンは前記熱拡散板に接触しないように配置する構成をとる。前記棒状の熱輸送部材は前記液晶パネルの表示画面に対し上下方向に複数本配列し、前記液晶パネルの表示画面に対し下側に配置する棒状の熱輸送部材ほど、前記フィンの個数が少なく構成された構成をとる。また、前記棒状の熱輸送部材は、前記背面カバーよりも前記導光板に近い位置に配置した構成をとる。また、前記ヒートシンクの熱伝導度が２００Ｗ／ｍ・Ｋ以上である構成をとる。また、前記ヒートシンクは、金，銀，銅，アルミ、又は金，銀，銅，アルミを主成分とする合金、もしくはカーボングラファイトにより形成される構成をとる。前記熱輸送部材の熱伝導度が２００Ｗ／ｍ・Ｋ以上である構成をとる。また、前記熱輸送部材がヒートパイプである構成をとる。また、前記熱輸送部材が金，銀，銅，アルミ、又は金，銀，銅，アルミを主成分とする合金の中穴棒により形成される構成をとる。また、前記フィンの熱伝導度が２００Ｗ／ｍ・Ｋ以上である構成をとる。また、前記フィンが金，銀，銅，アルミ、又は金，銀，銅，アルミを主成分とする合金、もしくはカーボングラファイトにより形成される構成をとる。また、前記背面カバーは、前記液晶パネルの表示画面に対する上下側面、および左右側面に通気口が形成される構成をとる。また、前記通気口はハニカム構造である構成をとる。また、前記通気口は、該通気口を開口した側面を傾斜面として前記液晶パネルの前面側に傾斜して設けた構成をとる。また、前記液晶パネルの前面に、液晶表示装置の表示エリアを開口したカバーを配置した構成をとる。また、前記液晶パネルの前面に、液晶表示装置の表示エリアを覆うカバーを配置した構成をとる。また、前記液晶表示装置の前面カバーが前記ヒートシンクに外接する仮想直方体領域に接するように取り付けられる構成をとる。また、前記光源搭載基板，前記光源、及び前記ヒートシンクを前記液晶パネル表示画面に対する前記導光板の左右両方向に配置し、前記ヒートシンクに外接する仮想直方体領域の内部に前記液晶パネルと前記導光板とを収容するように配置した構成をとる。また、前記光源搭載基板，前記光源、及び前記ヒートシンクを前記液晶パネル表示画面に対する前記導光板の左右両方向に配置し、前記ヒートシンクに外接する仮想直方体領域の内部の中央位置に液晶表示装置を制御する電子回路基板を収容するように配置した構成をとる。また、前記背面カバーの背面に窪みを形成した構成をとる。また、前記背面カバーは熱拡散板を内包する構成をとる。また、前記光源搭載基板はセラミックス材質を用いる構成をとる。また、前記光源搭載基板上に前記光源を内包するレンズを形成した構成をとる。
【００１９】
本発明の第２の液晶表示装置は、液晶パネルと、前記液晶パネルの背面に設けた光源搭載基板と、前記光源搭載基板にマトリクス状に実装された複数の光源と、前記光源搭載基板の前記光源を実装していない側の面に接続されたヒートシンクと、前記導光板の背面に設けた背面カバーと、を有し、前記ヒートシンクは前記光源搭載基板と前記背面カバーとの間に延伸しており、前記光源搭載基板と前記背面カバーとの間に、前記液晶パネルの表示画面に対して上下方向に通気路を設けた構成をとる。
【発明の効果】
【００２０】
本発明により、液晶表示装置の背面を放熱手段として用いることなくヒートシンクからの放熱を外部に排出することが可能になるとともに、背面カバーの高温化を抑制することが可能となる。
【発明を実施するための最良の形態】
【００２１】
以下、本発明の実施例について、図面を用いて詳細に説明する。
【実施例１】
【００２２】
まず、ＬＥＤサイドライト方式の特徴について説明する。
【００２３】
従来の液晶表示装置ではバックライト光源に冷陰極管が用いられるのが一般的であった。冷陰極管の発光スペクトル１６０は図２８（ａ）に示すように可視域で広い分布となる。そのため同図に示した透過スペクトル１６４，１６５，１６６を持つ液晶表示装置に備えられた赤緑青のカラーフィルターを透過した各色の光は多数の波長を含み色純度が低く、色再現範囲が狭かった。
【００２４】
ＬＥＤの発光スペクトル１６１，１６２，１６３は各色毎に図２８（ｂ）のように冷陰極管に比べて狭い波長領域のスペクトルとなるため、色純度が高く、広い色再現範囲が得られる。またＬＥＤは鉛を使用していないため、環境にもやさしい。さらに高速応答性を有するため、発光時間幅での変調がしやすく消費電力を低減させることが容易である。
【００２５】
液晶表示装置のバックライト方式には、大きく分けて直下型方式と、サイドライト型方式の２つがある。図２９及び図３０はそれぞれＬＥＤ光源を用いた直下型方式及びサイドライト型方式のバックライトを用いた液晶表示装置の一例である。
【００２６】
直下型方式は、多数の光源１２４を光源搭載基板１２３上にマトリクス上に配置し、光源１２４からある程度空間１４３を置いたところに配置される拡散板１４４で色を混ぜ合わせて輝度を均一化している。サイドライト型方式は多数の光源１２４を光源搭載基板
１２３上に線状に配置し、導光板１２１側面に光を入射させ導光板１２１の上面に均一な光を取り出している。
【００２７】
サイドライト型方式では、図３０に示すように光源１２４から出た光は、導光板１２１の側面から入射すると、導光板１２１内を全反射して伝播し、導光板１２１の下面に塗られた反射ドット１６８により散乱して、全反射条件から外れることにより、導光板１２１の上面に取り出される。光の面内均一化は反射ドットの密度や、大きさを適切に設計することにより実現されている。サイドライト型方式は直下型方式に対して、光の均一化を得るための空間１４３を必要としないため、より薄型化できるのが特徴である。
【００２８】
しかしながらサイドライト型方式は多数のＬＥＤ光源を線状に配置するため、直下型に比べて局所的に熱源を配置した構成となる。このため放熱構造を工夫する必要がある。
ＬＥＤは温度が高くなると発光効率の低下を招くばかりでなく、ＬＥＤ自体の熱による損傷や、ＬＥＤを覆う透明樹脂材料の熱劣化により表示品質を著しく損なう可能性があるため冷却がきわめて重要となる。
【００２９】
サイドライト型方式のＬＥＤ光源を冷却するためには、ＬＥＤ光源が搭載された基板にヒートシンクを熱的に接触させて、額縁幅方向にヒートシンクを延伸する方法も考えられるが、ＬＥＤの消費電力が大きい場合、額縁幅が非常に大きくなってしまいデザイン性が損なわれてしまう。
【００３０】
そこで、ＬＥＤ光源が搭載された基板に熱的に接触されたヒートシンクを表示面の裏面側の広いスペースに延伸させることにより、額縁幅を小さくしたままＬＥＤ光源を冷却することが可能になる。
【００３１】
本発明の具体的構成について以下に詳述する。
【００３２】
図１は本発明の第１の実施形態を採用した液晶表示装置の構成斜視図、図２は図１の一点鎖線矢印部の断面構成図、図３は液晶表示装置の給排気を示す図である。
【００３３】
本実施例では図１に示すように、説明上液晶パネル１２０表示画面を基準として上下左右および前背面を定義した。
【００３４】
本実施例の液晶表示装置は、液晶パネル１２０，導光板１２１，背面カバー１２２，光源１２４，光源搭載基板１２３，ヒートシンク１０１により構成されている。また、他の構成要素として、第３のフレーム１３９，第１のゴムクッション１３１，第２のゴムクッション１３２，第２のフレーム１３８，光学シート１３４，第１の反射シート１３５，第２の反射シート１３６，第１のフレーム１３７がある。
【００３５】
導光板１２１は液晶パネル１２０の背面に配置される。導光板１２１の左右側面には光源搭載基板１２３が配置される。光源搭載基板１２３上にはＲＧＢからなる光源１２４が長手方向に一列に複数個搭載される。ヒートシンク１０１は光源搭載基板１２３の光源非搭載面に熱伝導接着部材を用いて接続される。背面カバー１２２はヒートシンク１０１の背面に配置される。
【００３６】
図２に示すように、導光板１２１と背面カバー１２２の間には空間が設けられており、その空間にヒートシンク１０１が延伸している。ヒートシンク１０１の前面および背面には空間が設けられている。
【００３７】
光源１２４は表示のための光を発する機能を有する。
【００３８】
光源搭載基板１２３はセラミック基板からなり、光源を搭載するとともに、光源搭載基板１２３上に形成した配線パターンを介して光源に電流／電圧を供給する。また、光源搭載基板１２３は光源から出射した光を効率よく導光板１２１に取り入れるための反射板としての機能も併せ持つ。また、低熱抵抗のセラミックを用いることにより、光源１２４で発生した熱を外部に伝導させやすくすることができる。
【００３９】
ヒートシンク１０１は熱伝導性の優れた銅，アルミなどの材質からなり、光源１２４の発熱を効率よく放熱するための機能を有する。
【００４０】
導光板１２１はアクリルなどの透明な樹脂からなり、光源１２４から出た光を面光源に変換する機能を有する。導光板１２１に入射した光は導光板１２１内を全反射して伝播し、導光板１２１の下面に印刷された不図示の反射ドットにより散乱され導光板１２１上面へ取り出される。
【００４１】
液晶パネル１２０は２枚の基板間に液晶を挟持した構成を有し、液晶のＯＮ／ＯＦＦにより導光板１２１から出射した光の透過／遮断を制御する光シャッタとしての機能を有する。
【００４２】
背面カバー１２２は樹脂からなり、液晶表示装置の背面の保護カバーの役目をしている。
≪他の構成要素の配置と機能の説明≫
他の構成要素の配置、および機能を以下に説明する。以下説明する構成要素を配置することにより、さらに好適な液晶表示装置とすることができる。
【００４３】
第３のフレーム１３９は樹脂からなり、液晶パネル１２０の前面に配置され、液晶表示装置前面カバーとしての機能を有する。また第３のフレーム１３９は液晶表示装置の表示エリア部が開口された形状となっている。
【００４４】
液晶パネル１２０の前面には第１のゴムクッション１３１が配置され、第３のフレーム１３９と液晶パネル１２０の支持部材としての機能を有する。第２のゴムクッション132は液晶パネル１２０の背面に配置され、液晶パネル１２０と第２のフレーム１３８の緩衝材としての機能を有する。
【００４５】
第２のフレーム１３８は液晶パネルの支持機能を有するとともに、ヒートシンク１０１と液晶パネル１２０の間に介在することでヒートシンク１０１からの熱を液晶パネル120に伝えないようにする断熱材の機能を有する。
【００４６】
光学シート１３４は第２のフレーム１３８の背面に配置され、導光板１２１から出射した光のさらなる面内均一化または正面方向の輝度を向上させる指向性付与機能を有する。
【００４７】
第１の反射シート１３５は光学シート１３４の背面に配置される。第１の反射シート
１３５は光源１２４から出た光のうち、導光板１２１に入射しない光を反射して導光板
１２１に入射させる機能、および光源１２４近傍の導光板１２１の出射面から出た光を再度導光板１２１に戻すための機能を有する。光源１２４近傍ではＲＧＢの出射光が不均一となっており、この部分を表示面にすることはできない。そこで、光源１２４近傍の光を第１の反射シート１３５により導光板１２１に戻すことにより、光のロスを減らすことができる。
【００４８】
第２の反射シート１３６は導光板１２１の背面に配置される。第２の反射シート１３６は光源１２４から出た光のうち、直接導光板１２１に入射しない光を反射して導光板121に入射させることにより光利用効率を高める機能とともに、全反射条件から外れて導光板１２１の下面に出た光を再度導光板１２１に戻す機能を有する。
【００４９】
背面カバー１２２の下側面には吸気のための、背面カバー１２２の上側面には排気のための通気口１０７を設けた。
【００５０】
また、ヒートシンク１０１はヒートシンク１０１に外接する仮想直方体領域の内部に液晶パネル１２０と導光板１２１を収容することで、液晶表示装置に加重が掛かった際に液晶パネル１２０と導光板１２１を保護する役割も有する。
【００５１】
ここで、図２に示すように、ヒートシンク１０１は折り曲げた構造をとり、ヒートシンクの一部は導光板１２１と背面カバー１２２との間に配置する。そして、この導光板121と背面カバー１２２との間に配置したヒートシンク１０１の周りに、液晶表示パネルの最下端から最上端まで隙間が形成される構成をとる。
【００５２】
光源１２４で発生した熱は、導光板１２１背面のヒートシンク１０１に面方向に拡散された後、導光板１２１と背面カバー１２２との間を流れる空気に放熱される。導光板121と背面カバー１２２の間を流れる空気は自然対流により下から上へと流れ、図３に示すように背面カバー１２２の下側面からの吸気が背面カバー１２２上面に形成した通気口107から排出される。
【００５３】
このように、本実施例では、前記導光板と前記背面カバーとの間に、前記液晶パネルの表示画面に対して上下方向に熱を逃がすための隙間、即ち通気路を設けた構成をとる。
≪本発明の効果≫
本実施例の液晶表示装置は背面を放熱手段として用いていないため、液晶表示装置を壁などに密着しても、放熱不足による表示不良、放熱口から排気された熱風により壁などの損傷、背面カバーからの放熱による壁などの損傷を回避することができた。
【００５４】
また、本実施例の液晶表示装置は背面カバーの高温化を抑制することが可能となり、背面カバーからの放熱による壁などの損傷を回避することができる。
【００５５】
本実施例の液晶表示装置は液晶表示装置の背面を放熱手段として用いていないため、背面デザインの自由度が格段に向上し、デザイン性の優れた液晶表示装置を得ることができる。
【００５６】
本実施例の液晶表示装置は液晶表示装置の背面を放熱手段として用いていないため、液晶表示装置２枚を背中合わせに張り合わせることにより、超薄型の両面表示装置を得ることができる。
【００５７】
本実施例の液晶表示装置は液晶表示装置の背面を放熱手段として用いていないため、背面をフラットにできるため、背面に鏡や掲示板やメッセージボードを張り合わせる等、背面を他の用途に利用することができる。
【００５８】
好ましくは第１のフレーム１３７をアルミなどの高熱伝導性の金属で形成し、フレーム端部などでヒートシンク１０１に接続するとよい。第１のフレーム１３７を高熱伝導性の金属で形成することで、光源１２４で発生した熱は、ヒートシンク１０１と第１のフレーム１３７に伝わり放熱されるため、背面カバー１２２への熱伝導がさらに抑えられる。
【００５９】
ヒートシンク１０１の形状は上記に限定されたものではなく、図４のように凹凸形状を有していてもよい。この場合、ヒートシンク１０１の表面積が増え、放熱を促進することができる。
【００６０】
ヒートシンク１０１と、第１のフレーム１３７，背面カバー１２２の隙間の設け方は、上記に限定されたものではなく、図５のように、ヒートシンク１０１と第１のフレーム
１３７が端部以外で接触していてもよい。この場合、ヒートシンク１０１と第１のフレーム１３７の接触面積の増加により、第１のフレーム１３７への熱の伝達が促進される。その結果、第１のフレーム１３７からの放熱量を増やすことができ、放熱を促進することができる。
【００６１】
本実施例に用いた液晶表示装置においては、自然冷却により十分に光源１２４から発生した熱を放熱することができたが、自然冷却に限定されるものではなく、ヒートシンク
１０１と、第１のフレーム１３７，背面カバー１２２の隙間を通る空気の流れを促進するファンを設けても良い。
【実施例２】
【００６２】
図６に本発明の第２の実施形態を採用した液晶表示装置の断面構成図、図７に液晶表示装置の背面側から見たヒートシンク１０１，熱輸送部材１０２，フィン１０３の斜視図を示す。前述の実施例と同一の構成要素には同一の番号を付与している。また、前述の実施例と同一の構成要素は説明を省略する。
【００６３】
本実施例では、液晶表示装置の構成は、実施例１で示したものと同様である。
【００６４】
熱輸送部材は複数の棒状熱輸送部材１０２にフィン１０３を設けた放熱部材で構成される。棒状熱輸送部材１０２は、たとえば、断面形状が円形もしくは扁平形状のヒートパイプもしくは、銅などの高熱伝導性の中実棒で、銅，アルミなどの高熱伝導性の薄板状の複数のフィン１０３が装着される。棒状熱輸送部材１０２の端部はヒートシンク１０１に接続されており、棒状熱輸送部材１０２の軸方向が水平になるように設置される。この棒状熱輸送部材１０２は、表示装置の高さ方向に複数本並列に並べられる。一方、棒状熱輸送部材１０２に装着されるフィン１０３は、板面が棒状熱輸送部材１０２の軸方向に対して直角方向になるよう装着される。棒状熱輸送部材１０２にフィン１０３を設けた放熱部材は、第１のフレーム１３７と背面カバー１２２との間に設置され、背面カバー１２２下側からの入気が第１のフレーム１３７と背面カバー１２２との間で上部に向かってスムーズに流れるようにフィン１０３間の空間が形成される。
【００６５】
本実施例では、さらに、第１のフレーム１３７をアルミなどの高熱伝導性の金属で形成し、フレーム端部でヒートシンク１０１に接続している。光源１２４で発生した熱は、ヒートシンク１０１を介して、棒状熱輸送部材１０２および第１のフレーム１３７に伝わり、棒状熱輸送部材１０２および第１のフレーム１３７によって面方向に拡散された後、フィン１０３から第１のフレーム１３７と背面カバー１２２との間を流れる空気に放熱される。第１のフレーム１３７と、第１のフレーム１３７と背面カバー１２２との間に設けられる多数のフィン１０３によって放熱されるため、背面カバー１２２からの放熱および温度上昇が抑制される。
【００６６】
本実施例では、実施例１で得られる効果に加えて導光板１２１背面への熱の拡散を棒状の熱輸送部材１０２で行っているためより軽量化が可能となる。
【実施例３】
【００６７】
図８は本発明の第３の実施形態を採用した液晶表示装置の断面構成を示す。前述の実施例と同一の構成要素には同一の番号を付与している。また、前述の実施例と同一の構成要素は説明を省略する。
【００６８】
本実施例ではヒートシンク１０１が、第１のフレーム１３７の面方向（光源搭載基板
１２３の光源搭載面と垂直な方向でかつ第１のフレーム１３７の導光板１２１と反対側）に延伸部を有するＬ字型形状となっている。図８に示すように、延伸部に棒状熱輸送部材１０２および第１のフレーム１３７を接続することにより、棒状熱輸送部材１０２と第１のフレーム１３７のヒートシンク１０１との接続面積が拡大される。これにより、各部材の熱的接続がより良好となり放熱効果および背面カバー１２２の温度上昇抑制が促進されるとともに棒状熱輸送部材１０２の変形，振動を抑制することが出来る。
【実施例４】
【００６９】
図９は本発明の第４の実施形態を採用した液晶表示装置の断面構成図を示す。前述の実施例と同一の構成要素には同一の番号を付与している。また、前述の実施例と同一の構成要素は説明を省略する。
【００７０】
本実施例では、実施例３で示した構成と同様であるが、ヒートシンク１０１部の他の実施例である。
【００７１】
ヒートシンク１０１は、光源搭載基板１２３を搭載した熱伝導性の優れたヒートシンク１０１（たとえば、銅，アルミなどの材質）と複数の棒状熱輸送部材１０２にフィン103を設けた放熱部材および背面カバー１２２の面方向に延伸する第１の熱拡散板１０４とで構成される。本実施例では、第１の熱拡散板１０４は、端部でヒートシンク１０１に接続され、フィン１０３と背面カバー１２２との間に設置される。第１の熱拡散板１０４は、第１のフレーム１３７と同様、アルミなどの熱伝導性の優れた材質で、第１の熱拡散板
１０４，第１のフレーム１３７、およびヒートシンク１０１でダクト状に形成され、ダクト形状の内部にフィン１０３が配置されることになる。光源１２４で発生した熱は、ダクト形状の内面およびフィン１０３から放熱されるとともに、いわゆる、煙突効果により高い放熱性能が得られるので、背面カバー１２２から放熱される熱が相対的に減少し、背面カバー１２２の温度上昇を抑えることが出来る。なお、第１の熱拡散板１０４と背面カバー１２２との間に隙間を設け、第１の熱拡散板１０４から背面カバー１２２に熱が伝わらないようにすることで、さらに背面カバー１２２の温度上昇を抑える効果が得られる。
【００７２】
さらに、図１０に示すように、第１のフレーム１３７とは別に、第１のフレーム１３７の面方向に延伸する第２の熱拡散板１０５を設けてもよい。第２の熱拡散板１０５も、アルミなどの熱伝導性の優れた材質で、端部がヒートシンク１０１と接続され、フィン103と第１のフレーム１３７との間に設置される。背面カバー１２２とフィン１０３の間に設置された第１の熱拡散板１０４及び第２の熱拡散板１０５とヒートシンク１０１とでダクト構造を形成する。ここで、フィン１０３の先端と第１の熱拡散板１０４とは、接触しないように設置され、背面カバー１２２の温度上昇を抑えるようにしている（フィン１０３の温度が第１の熱拡散板１０４より高いため）。本実施例によれば、光源搭載基板１２３を装着したヒートシンク１０１が第１のフレーム１３７と別体で構成されるので、組み立て性が大幅に向上する。さらに、図１１に示すように、フィン１０３の先端と第２の熱拡散板１０５とを接触させるようにしてもよい。この場合、棒状熱輸送部材１０２と第２の熱拡散板１０５とがフィン１０３を介して熱的に接続されるので、両者の相乗効果でより熱の拡散が促進される。これにより、第１のフレーム１３７内の温度分布が低減され、表示の色むらなどが改善されるという効果がある。なお、本構造は、前述の第２の熱拡散板１０５がない場合、すなわち第１のフレーム１３７を熱拡散手段として用いる場合にも適用することができ、フィン１０３先端部と第１のフレーム１３７を接触させるようにしてもよい。
【００７３】
さらに図１２に示すように、第１の熱拡散板１０４と背面カバー１２２の間に断熱材
１０６を加えてもよい。断熱材１０６はゴム等の熱伝導率の低い材質を用いて形成することで背面カバー１２２に伝わる熱を低減させることが可能となり、液晶表示装置の背面温度をより低下させることが可能となる。
【００７４】
さらに図１３に示すように、フィン１０３を棒状熱輸送部材１０２に対して傾斜して配置してもよい。フィン１０３を傾斜させることによりフィンの長さを長くすることが可能となり、液晶表示装置の背面温度をより低下させることが可能となる。
【実施例５】
【００７５】
図１４に本発明の第５の実施形態を採用した液晶表示装置の断面構成を示す。前述の実施例と同一の構成要素には同一の番号を付与している。また、前述の実施例と同一の構成要素は説明を省略する。
【００７６】
ヒートシンク１０１の基本的な構成は、実施例３と同様であるが、本実施例では、第１のフレーム１３７の面方向に延伸するヒートシンク１０１のうち表示装置の中央部に相当する位置にヒートシンク１０１がない領域を形成し、当該位置に表示装置に必要な回路基板１４０を配置した。すなわち、ヒートシンク１０１の外端がつくる包絡面の内部に回路基板１４０が収容されるようにする。表示装置の両側面に光源搭載基板１２３を搭載したヒートシンク１０１が配置され、棒状熱輸送部材１０２は、両側のヒートシンク１０１から中央部に配置された回路基板１４０の手前まで延伸しており、棒状熱輸送部材１０２にフィン１０３が装着される。表示装置の中央部は、熱源である光源１２４から離れた位置であるため、第１のフレーム１３７の面内の温度は中央部が端部に比べ低くなる。一方、回路基板１４０は、発熱源でもあるから、回路基板１４０を中央部に配置することによって第１のフレーム１３７の面内での温度分布が低減され、液晶パネル１２０の表示の色むらなどが改善されるという効果がある。
【００７７】
さらに、ヒートシンク１０１の外端がつくる包絡面の内部に回路基板１４０が収容されているため、背面カバー１２２を平らな面にすることができ、デザイン性が向上すると共に、壁に張り合わせる、または２画面を背中合わせに張り合わせることも可能となった。
【実施例６】
【００７８】
図１５に本発明の第６の実施形態を採用した液晶表示装置の断面構成を示す。前述の実施例と同一の構成要素には同一の番号を付与している。また、前述の実施例と同一の構成要素は説明を省略する。
【００７９】
本実施例では、光源搭載基板１２３を搭載したヒートシンク１０１の外端がつくる包絡面に外接するように液晶表示装置の前面カバーと背面カバーが取り付けられる。すなわち、表示装置を構成する部品は、すべてこの包絡面の内側に収容される。本実施例によれば、装置に圧縮過重が加わっても、この加重は、ヒートシンク１０１を構成する金属材質で受けることができ、表示装置内部に収容される部品が保護される。
【実施例７】
【００８０】
図１６（ａ），（ｂ）は本発明の第７の実施形態を採用した液晶表示装置の背面側から見たヒートシンク１０１，熱輸送部材１０２，フィン１０３の図を示す。前述の実施例と同一の構成要素には同一の番号を付与している。また、前述の実施例と同一の構成要素は説明を省略する。
【００８１】
本実施例は、実施例５で説明したヒートシンク１０１構造における一実施例である。図１６（ａ）（ｂ）は、棒状熱輸送部材１０２に装着するフィン１０３部を表示装置背面から見た構造を示している。液晶表示装置の両側面に光源搭載基板１２３を搭載したヒートシンク１０１が配置され、棒状熱輸送部材１０２は、両側のヒートシンク１０１から中央部に配置された回路基板１４０の手前まで延伸している。棒状熱輸送部材１０２は、表示装置の高さ方向に複数本配置され、それぞれの棒状熱輸送部材１０２にフィン１０３が装着される。ここで、一本の棒状熱輸送部材１０２に装着されるフィン１０３の枚数は、上部に配置される棒状熱輸送部材１０２ほど多くなっている。図１６（ａ）は、上下方向でフィン１０３ピッチを変えた場合の例を示し、図１６（ｂ）は、フィン１０３ピッチは一定で、棒状熱輸送部材１０２の一部にフィン１０３を装着しない部位を設けた例である。ＬＥＤの発熱は、表示装置下部から流入する空気で放熱されるため、上部ほど空気温度が上昇し放熱効率が低下する。一方、空気流入量は、フィン１０３間を通過する際の流動抵抗できまり、フィン１０３の間隔が広いほど抵抗が少なく流入量が増えるが、逆に、フィン１０３放熱面積が減少する。したがって、空気温度の低い下部においてフィン１０３を間引いて流動抵抗を低減するとともに、空気温度の上昇で放熱効率の低下する上部ほどフィン１０３枚数すなわち表面積を増加させることによって、放熱量の極大化を図ることが出来る。特に、図１６（ｂ）の例は、下部にフィン１０３のない領域を形成し、上部に温度上昇していない空気を供給することにより上部での放熱効率の低下を抑えるようにしている。
【００８２】
なお、本実施例は、実施例５に限らずこれまで説明したすべての実施例に適用できる。
【実施例８】
【００８３】
図１７に本発明の第８の実施形態を採用した液晶表示装置の断面構成を示す。前述の実施例と同一の構成要素には同一の番号を付与している。また、前述の実施例と同一の構成要素は説明を省略する。
【００８４】
ヒートシンク１０１の基本的な構成は、実施例２と同様であるが、本実施例では、棒状熱輸送部材１０２を背面カバー１２２より第１のフレーム１３７に近い側に設置している。すなわち、棒状熱輸送部材１０２とフィン１０３とは、棒状熱輸送部材１０２からフィン１０３先端までの距離が第１のフレーム１３７側のほうが背面カバー１２２側よりも短くなるように装着される。本構成にするとフィン１０３先端の温度が、第１のフレーム
１３７側より背面カバー１２２側のほうが低くなる。フィン１０３内の平均温度は、棒状熱輸送部材１０２の位置によらずほぼ一定であるため、放熱性能を低下させることなく背面カバー１２２側の温度を低く出来る。したがって、背面カバー１２２の温度上昇を抑制することが出来る。なお、棒状熱輸送部材１０２を第１のフレーム１３７と接触させ、第１のフレーム１３７内での熱拡散をより促進するようにしてもよい。この場合、背面カバー１２２のさらなる低温化に加え、第１のフレーム１３７の面内温度分布低減による液晶パネル１２０の表示の色むらの改善効果が得られる。
【実施例９】
【００８５】
図１８に本発明の第９の実施形態を採用した液晶表示装置の構成斜視図を示す。前述の実施例と同一の構成要素には同一の番号を付与している。また、前述の実施例と同一の構成要素は説明を省略する。
【００８６】
本実施例は、実施例１で説明したヒートシンク１０１構造における一実施例である。
【００８７】
本実施例では第３のフレーム１３９および背面カバー１２２の上下側面に加えて、第３のフレーム１３９、および背面カバー１２２の左右側面に通気口１０７を設けた。
【００８８】
本実施例によれば、実施例１で示した放熱系に加えて、左右側面に設けた通気口１０７からはヒートシンク１０１の左右側面に伝わった熱が排出される系を加えることで放熱の効率が向上し、背面カバー１２２の更なる低温化が可能となる。
【実施例１０】
【００８９】
図１９に本発明の第１０の実施形態を採用した液晶表示装置の構成斜視図を示す。前述の実施例と同一の構成要素には同一の番号を付与している。また、前述の実施例と同一の構成要素は説明を省略する。
【００９０】
本実施例は、実施例１で説明したヒートシンク１０１構造における一実施例である。
【００９１】
本実施例では第３のフレーム１３９および背面カバー１２２の上下側面に加えて、第３のフレーム１３９、および背面カバー１２２の左右側面に通気口１０７を設けた。さらに本実施例では第３のフレーム１３９および背面カバー１２２に配置した上下側面の通気口１０７の形状を六角形とし、それを六方格子状に配置したハニカム構造とした。
【００９２】
本実施例によれば、実施例１で示した効果に加えて、背面カバー１２２の剛性を保ちつつ、通気口１０７の開口率を最大にできるため、液晶表示装置の剛性、および放熱の両立化が可能となる。
【実施例１１】
【００９３】
図２０に本発明の第１１の実施形態を採用した液晶表示装置の給排気図を示す。前述の実施例と同一の構成要素には同一の番号を付与している。また、前述の実施例と同一の構成要素は説明を省略する。
【００９４】
本実施例は、実施例１で説明したヒートシンク１０１構造における一実施例である。
【００９５】
本実施例では背面カバー１２２の上側面を前面側に傾斜させることにより、液晶表示装置上側面に開口した通気口１０７を前面側に傾斜させている。
【００９６】
本実施例により、排出された空気は液晶表示装置の前面に向かうため、実施例１で示した効果に加えて、壁等に液晶表示装置を密着させた際に、排気による壁などの損傷をより抑制することが可能となる。
【００９７】
なお、本実施例では背面カバー１２２の上下方向にのみ通気口１０７を開口した場合について説明したが、実施例９に示すように左右方向に通気口１０７を開口した場合においては、本実施例と同様の考え方で、背面カバー１２２の左右側面を前面側に傾斜させることにより、液晶表示装置左右側面に開口した通気口１０７を前面側に傾斜させることで同様の効果を得ることができる。
【実施例１２】
【００９８】
図２１に本発明の第１２の実施形態を採用した液晶表示装置の構成斜視図を、図２２に図２１の一点鎖線部の断面図を示す。前述の実施例と同一の構成要素には同一の番号を付与している。また、前述の実施例と同一の構成要素は説明を省略する。
【００９９】
本実施例は、実施例１で説明したヒートシンク１０１構造における一実施例である。
【０１００】
図２１に示すように本実施例では背面カバー１２２に窪み１４１を設けた。窪み１４１は図２２に示すように背面カバー１２２に穴を開けずに凹凸形状にすることにより設けることで空間を通過する空気が窪み１４１から漏れない構造とした。窪み１４１は釘，ネジ等で液晶表示装置を壁等に固定するための機能を有する。
【０１０１】
本実施例によれば窪み１４１を設けることにより、実施例１で示した効果に加えて、壁等に打ち付けたネジ／釘等に突起部を合わせることで簡単に壁掛け設置が可能な液晶表示装置を実現することができた。
【実施例１３】
【０１０２】
図２３に本発明の第１３の実施形態を採用した液晶表示装置の断面構成図を示す。前述の実施例と同一の構成要素には同一の番号を付与している。また、前述の実施例と同一の構成要素は説明を省略する。
【０１０３】
本実施例は、実施例１で説明したヒートシンク１０１構造における一実施例である。
【０１０４】
本実施例では第３のフレーム１３９は液晶パネル１２０の前面を覆うように配置されている。第３のフレーム１３９は透明材料で形成し、表示エリアが隠れないようにした。
【０１０５】
本実施例によれば、わずかながらではあるが放熱に寄与する、第３のフレーム１３９の表面積を大きくとることにより、ヒートシンク１０１から第３のフレーム１３９に伝わった熱を第３のフレーム１３９から排熱する系での放熱効率を上げることが可能となり、実施例１で示した効果に加えて、背面カバー１２２の更なる低温化が可能となる。
【実施例１４】
【０１０６】
図２４に本発明の第１４の実施形態を採用した液晶表示装置の断面構成を示す。前述の実施例と同一の構成要素には同一の番号を付与している。また、前述の実施例と同一の構成要素は説明を省略する。
【０１０７】
本実施例は、実施例１で説明したヒートシンク１０１構造における一実施例である。
【０１０８】
レンズ１４２は透明樹脂からなり、光源１２４を内包するように光源搭載基板１２３に形成される。またレンズ１４２は光源１２４からの出射光を効率よく導光板１２１に入射させるとともに、光源１２４に接する屈折率を高くすることにより光源１２４からの光取り出し効率を向上させる効果を有する。
【０１０９】
本実施例によれば光源１２４から発生した光の量を増やし、かつ効率よく導光板１２１に入射させることが可能となり、光源１２４が必要とする消費電力を低減させることができる。消費電力の低減はＬＥＤ基板からの発熱量低減に直結するため、結果としてＬＥＤ基板からの発熱量が減り、実施例１で示した効果に加えて、背面カバー１２２の更なる低温化が可能となる。
【実施例１５】
【０１１０】
図２５に本発明の第１５の実施形態を採用した液晶表示装置を示す。前述の実施例と同一の構成要素には同一の番号を付与している。また、前述の実施例と同一の構成要素は説明を省略する。
【０１１１】
本実施例は、実施例１で説明したヒートシンク１０１構造における一実施例である。
【０１１２】
液晶表示装置の下側面には電源ケーブルの接続端子１８１、および周辺機器の接続端子１８２を配置した。
【０１１３】
本実施例によれば、液晶表示装置の背面を利用せずに電源ケーブル、および周辺回路との接続が可能となり、液晶表示装置を壁などに密着させることができる。
【０１１４】
なお、本実施例では下側面に電源ケーブル接続端子１８１、および周辺機器接続端子
１８２を配置したが、これに限らず、左右側面、もしくは上側面に電源ケーブル接続端子１８１、および周辺機器接続端子１８２を配置しても同様の効果を得ることができる。
【実施例１６】
【０１１５】
図２６は本発明の第１６の実施形態を採用した液晶表示装置の構成斜視図、図２７は図２６の一点鎖線部の断面構成図を示す。
【０１１６】
本実施例の液晶表示装置は、液晶パネル１２０，背面カバー１２２，光源１２４，光源搭載基板１２３，ヒートシンク１０１により構成されている。また、他の構成要素として、第３のフレーム１３９，第１のゴムクッション１３１，第２のゴムクッション１３２，第２のフレーム１３８，光学シート１３４，拡散板１４４，第１のフレーム１３７がある。
【０１１７】
光源搭載基板１２３は液晶パネル１２０の背面に配置される。光源搭載基板１２３にはＲＧＢからなる光源１２４がマトリクス上に複数個搭載される。ヒートシンク１０１は光源搭載基板１２３の光源１２４非搭載面に熱伝導接着部材を用いて接続される。背面カバー１２２はヒートシンク１０１の背面に配置される。
【０１１８】
図２６に示すように、光源搭載基板１２３と背面カバー１２２の間には空間が設けられており、その空間にヒートシンク１０１が延伸している。ヒートシンク１０１の背面には空間が設けられている。
【０１１９】
ヒートシンク１０１は熱伝導性の優れた銅，アルミなどの材質からなり、光源１２４の発熱を効率よく放熱するための機能を有する。
【０１２０】
他の構成要素の配置、および機能を以下に説明する。以下説明する構成要素を配置することによりより好適な液晶表示装置とすることができる。
【０１２１】
拡散板１４４は光源搭載基板１２３の前面に配置され、光源１２４から出射した光のさらなる面内均一化の機能を有する。
【０１２２】
背面カバー１２２の下側面には外部の空気を取り入れるため、背面カバー１２２の上側面には内部の空気を排気するための通気口１０７が設けた。
【０１２３】
ヒートシンク１０１は光源搭載基板１２３と背面カバー１２２との間に設置され、導光板１２１と背面カバー１２２との間で上部に向かってスムーズに流れるように空間が形成される。光源１２４で発生した熱は、光源搭載基板１２３を介してヒートシンク１０１に伝わり、光源搭載基板１２３と背面カバー１２２との間を流れる空気に放熱される。導光板１２１と背面カバー１２２の間を流れる空気は自然対流により下から上へと流れ、背面カバー１２２の下側面から入った空気が背面カバー１２２上側面に形成した通気口１０７から排出される。以上に示した放熱系を有する液晶表示装置により背面カバー１２２からの放熱および温度上昇が抑制される。
【０１２４】
本実施例により、液晶表示装置の背面を放熱手段として用いることなくヒートシンク
１０１からの放熱を外部に排出することが可能となる。
【０１２５】
本実施例の液晶表示装置は背面を放熱手段として用いていないため、液晶表示装置を壁などに密着しても、放熱不足による表示不良，放熱不足により液晶表示装置全体が熱くなりやけどをする恐れ、放熱口から排気された熱風により壁などの損傷、背面カバーからの放熱による壁などの損傷を回避することができた。
【０１２６】
また、本実施例の液晶表示装置は背面カバーの高温化を抑制することが可能となり、背面カバーからの放熱による壁などの損傷を回避することができる。
【０１２７】
本実施例の液晶表示装置は液晶表示装置の背面を放熱手段として用いていないため、背面デザインの自由度が格段に向上し、デザイン性の優れた液晶表示装置を得ることができる。
【０１２８】
本実施例の液晶表示装置は液晶表示装置の背面を放熱手段として用いていないため、液晶表示装置２枚を背中合わせに張り合わせることにより、超薄型の両面表示装置を得ることができる。
【０１２９】
本実施例の液晶表示装置は液晶表示装置の背面を放熱手段として用いていないため、背面をフラットにできるため、背面に鏡や掲示板やメッセージボードを張り合わせる等、背面を他の用途に利用することができる。
【０１３０】
すべての実施例において、使用する液晶パネルは同一基板上に形成した透明電極間に電圧を印加し、横方向の電界を用いて液晶を駆動するＩＰＳ（in-plane swtching）方式とすることにより、液晶パネルの開口率を高くすることが可能となり、光源の消費電力を抑制できる。その結果、放熱の不可が低減され、本発明の構成がより効果を発揮する。また、同様の理由から、液晶パネルを対向する基板上に一対の透明電極を形成し、表示画素を複数の領域に分割し、同一画素内の複数の領域では互いに異なる配向方向あるいはプレチルト角を有するＶＡ（vertical alignment）方式とし、かつ同一画素内の分割数を２〜３程度とした液晶パネルを用いることも望ましい。
【０１３１】
すべての実施例において、光源としてＬＥＤを使用したが、光源の種類を規定するものではなく、例えば冷陰極間，熱陰極間を用いた液晶表示装置においても、本構成を適用することにより、液晶表示装置の背面を放熱手段として用いることなくヒートシンクからの放熱を外部に排出することが可能となる。
【０１３２】
各々の実施例を組み合わせた構成を適用することにより、放熱の効率を向上させることができ、液晶表示装置の背面を放熱手段として用いることなくヒートシンクからの放熱を外部に排出することが可能となることは明らかである。
【０１３３】
すべての実施例において、ヒートシンクとして銅またはアルミを用いたが、銅，アルミに限らず熱伝導度が２００（Ｗ／ｍ・Ｋ）以上、例えば金，銀，アルミニウム、もしくはそれを主成分とした合金、またはカーボングラファイトを用いた場合においても、液晶表示装置の背面を放熱手段として用いることなくヒートシンクからの放熱を外部に排出することが可能となる。
【０１３４】
すべての実施例において、熱輸送部材として銅またはアルミを用いたが、銅，アルミに限らず熱伝導度が２００（Ｗ／ｍ・Ｋ）以上、例えば金，銀，アルミニウム、もしくはそれを主成分とした合金、またはカーボングラファイトを用いた場合においても、液晶表示装置の背面を放熱手段として用いることなくヒートシンクからの放熱を外部に排出することが可能となる。
【０１３５】
すべての実施例において、フィンとして銅またはアルミを用いたが、銅，アルミに限らず熱伝導度が２００（Ｗ／ｍ・Ｋ）以上、例えば金，銀，アルミニウム、もしくはそれを主成分とした合金、またはカーボングラファイトを用いた場合においても、液晶表示装置の背面を放熱手段として用いることなくヒートシンクからの放熱を外部に排出することが可能となる。
【図面の簡単な説明】
【０１３６】
【図１】本発明の第１の実施形態を採用した液晶表示装置の構成斜視図。
【図２】図１の一点鎖線部分の断面構成図。
【図３】第１の実施形態を採用した液晶表示装置の給排気図。
【図４】第１の実施形態のヒートシンクの他の形状例。
【図５】第１の実施形態のヒートシンクの他の形状例。
【図６】第２の実施形態を採用した液晶表示装置の断面構成図。
【図７】第２の実施形態を採用した液晶表示の背面側から見た斜視図を示す。
【図８】第３の実施形態を採用した液晶表示装置の断面構成図。
【図９】第４の実施形態を採用した液晶表示装置の断面構成図。
【図１０】第４の実施形態の液晶表示装置の他の構成例。
【図１１】第４の実施形態の液晶表示装置の他の構成例。
【図１２】第４の実施形態の液晶表示装置の他の構成例。
【図１３】第４の実施形態の液晶表示装置の他の構成例。
【図１４】第５の実施形態を採用した液晶表示装置の断面構成図。
【図１５】第６の実施形態を採用した液晶表示装置の断面構成図。
【図１６】第７の実施形態を採用した液晶表示装置の背面側から見た図。
【図１７】第８の実施形態を採用した液晶表示装置の断面構成図。
【図１８】第９の実施形態を採用した液晶表示装置の構成斜視図。
【図１９】第１０の実施形態を採用した液晶表示装置の構成斜視図。
【図２０】第１１の実施形態を採用した液晶表示装置の給排気図。
【図２１】第１２の実施形態を採用した液晶表示装置の構成斜視図。
【図２２】図２１の一点鎖線部の断面図。
【図２３】第１３の実施形態を採用した液晶表示装置の断面構成図。
【図２４】第１４の実施形態を採用した液晶表示装置の断面構成図。
【図２５】第１５の実施形態を採用した液晶表示装置。
【図２６】第１６の実施形態を採用した液晶表示装置の構成斜視図。
【図２７】図２５の一点鎖線部の断面構成図。
【図２８】冷陰極管，ＬＥＤの発光スペクトル，カラーフィルタの透過スペクトル。
【図２９】ＬＥＤ光源を用いた直下型方式バックライトの構成斜視図。
【図３０】ＬＥＤ光源を用いたサイド型方式バックライトの構成斜視図。
【図３１】導光板からの光取り出し方法を示す断面図。
【符号の説明】
【０１３７】
１０１  ヒートシンク
１０２  棒状熱輸送部材
１０３  フィン
１０４  第１の熱拡散板
１０５  第２の熱拡散板
１０６  断熱材
１０７  通気口
１２０  液晶パネル
１２１  導光板
１２２  背面カバー
１２３  光源搭載基板
１２４  光源
１３１  第１のゴムクッション
１３２  第２のゴムクッション
１３４  光学シート
１３５  第１の反射シート
１３６  第２の反射シート
１３７  第１のフレーム
１３８  第２のフレーム
１３９  第３のフレーム
１４０  回路基板
１４１  窪み
１４２  レンズ
１４３  空間
１４４  拡散板
１６０  冷陰極管の発光スペクトル
１６１，１６２，１６３  ＬＥＤの発光スペクトル
１６４，１６５，１６６  カラーフィルタの透過スペクトル
１６８  反射ドット
１８０  液晶表示装置
１８１  電源ケーブル接続端子
１８２  周辺機器接続端子
【図１】
2008165101.tif 000003
【図２】
2008165101.tif 000004
【図３】
2008165101.tif 000005
【図４】
2008165101.tif 000006
【図５】
2008165101.tif 000007
【図６】
2008165101.tif 000008
【図７】
2008165101.tif 000009
【図８】
2008165101.tif 000010
【図９】
2008165101.tif 000011
【図１０】
2008165101.tif 000012
【図１１】
2008165101.tif 000013
【図１２】
2008165101.tif 000014
【図１３】
2008165101.tif 000015
【図１４】
2008165101.tif 000016
【図１５】
2008165101.tif 000017
【図１６】
2008165101.tif 000018
【図１７】
2008165101.tif 000019
【図１８】
2008165101.tif 000020
【図１９】
2008165101.tif 000021
【図２０】
2008165101.tif 000022
【図２１】
2008165101.tif 000023
【図２２】
2008165101.tif 000024
【図２３】
2008165101.tif 000025
【図２４】
2008165101.tif 000026
【図２５】
2008165101.tif 000027
【図２６】
2008165101.tif 000028
【図２７】
2008165101.tif 000029
【図２８】
2008165101.tif 000030
【図２９】
2008165101.tif 000031
【図３０】
2008165101.tif 000032
【図３１】
2008165101.tif 000033